(57)【要約】【課題】  より望遠、より高画素にしてもズームのための駆動機構が不要であり、小型化、低価格及び高信頼性を確保することができる多眼式撮像装置及び移動体通信端末を提供する。【解決手段】  焦点距離がそれぞれ異なる複数の撮影レンズによって合焦された各被写体像が撮像素子上に結像され、撮像部１５は、結像された複数の被写体像を光電変換し、画像処理部６２は、光電変換された画像に所定のデジタル処理を施し、画像メモリ８は、画像処理が施された複数の被写体像の画像を記憶し、画像抽出部６１は、画像メモリ８に記憶されている複数の被写体像の画像の中からズーム比に応じた画像を選択して切り出す。【選択図】      図７
2005109623.tif 000002
【特許請求の範囲】
【請求項１】
焦点距離がそれぞれ異なる複数の撮影レンズと、
前記複数の撮影レンズによって合焦された各被写体像が結像され、結像された複数の被写体像を光電変換する撮像素子と、
前記撮像素子によって光電変換された複数の被写体像の画像の中からズーム比に応じた画像を選択する画像選択部とを備えることを特徴とする多眼式撮像装置。
【請求項２】
ユーザによるズーム比の変更を受け付けるズーム比変更受付部をさらに備え、
前記画像選択部は、ズーム比変更受付部によって受け付けられたズーム比に応じた画像を選択することを特徴とする請求項１記載の多眼式撮像装置。
【請求項３】
前記複数の撮影レンズは、所定の焦点距離を有する第１撮影レンズと、少なくとも前記第１撮影レンズの焦点距離より長い焦点距離を有する第２撮影レンズとを含み、
前記画像選択部は、前記第１撮影レンズによって結像される被写体象の画像のデジタルズーム範囲を超えてズームする場合、前記第２撮影レンズによって結像される被写体象の画像を選択することを特徴とする請求項１又は２記載の多眼式撮像装置。
【請求項４】
前記複数の撮影レンズは、１つの撮像素子上にそれぞれの被写体像を結像させ、
前記画像選択部は、前記撮像素子によって光電変換された複数の被写体像の画像の中から１の画像を選択することを特徴とする請求項１〜３のいずれかに記載の多眼式撮像装置。
【請求項５】
カメラを備えた移動体通信端末であって、
前記カメラは、請求項１〜４のいずれかに記載の多眼式撮像装置であることを特徴とする移動体通信端末。
【発明の詳細な説明】
【技術分野】
【０００１】
本発明は、複数の撮影レンズによって被写体を撮像する多眼式撮像装置及び移動体通信端末に関するものである。
【背景技術】
【０００２】
従来、複数のレンズによって被写体を撮影する多眼式カメラが知られている（例えば、特許文献１参照）。この特許文献１の多眼式カメラは、被写体像の光束を受光して撮影するＣＣＤと、ＣＣＤに被写体像を導くための複数の撮影光学系とを備え、複数の撮影光学系にそれぞれ異なる可視光透過率の光学フィルタが装着され、複数の撮影光学系からの複数の被写体像が同時に撮影される。そして、得られた複数の被写体像を合成することにより、ダイナミックレンジの高い被写体像を得る。
【０００３】
また、近年、小型のカメラが内蔵された携帯電話機が普及してきている。この携帯電話機に内蔵される小型のカメラでは、より望遠あるいは高倍率ズームが求められている。さらに、メガピクセル化など高画素化も求められている一方で、ＴＶ電話機能やカメラで撮影した画像を電子メールで送信する機能などの普及により画素数をＶＧＡ（Video Graphics Array）以下にするニーズも高まっている。
【特許文献１】特開２００２−２８１３６１号公報
【発明の開示】
【発明が解決しようとする課題】
【０００４】
しかしながら、従来の携帯電話機に内蔵される小型のカメラにおいて、より望遠、より高画素化を実現しようとすると、高倍率ズームをすることが困難であり、高倍率ズームを可能にするにはズームのための機構が必要である。ズームのための機構を小型のカメラに組み込んだ場合、装置の大型化、コストアップを招き、さらに機構の可動部の信頼性といった問題が生じる。
【０００５】
特許文献１の多眼式カメラは、ダイナミックレンジの高い被写体像を得ることを目的としているため、ズームに関する記述は一切されておらず、示唆もされていない。
【０００６】
本発明は、上記の問題を解決するためになされたもので、より望遠、より高画素にしてもズームのための駆動機構が不要であり、小型化、低価格及び高信頼性を確保することができる多眼式撮像装置及び移動体通信端末を提供することを目的とするものである。
【課題を解決するための手段】
【０００７】
本発明に係る多眼式撮像装置は、焦点距離がそれぞれ異なる複数の撮影レンズと、前記複数の撮影レンズによって合焦された各被写体像が結像され、結像された複数の被写体像を光電変換する撮像素子と、前記撮像素子によって光電変換された複数の被写体像の画像の中からズーム比に応じた画像を選択する画像選択部とを備える。
【０００８】
この構成によれば、焦点距離がそれぞれ異なる複数の撮影レンズによって合焦された各被写体像が結像され、撮像素子によって、結像された複数の被写体像が光電変換され、画像選択部によって、撮像素子によって光電変換された複数の被写体像の画像の中からズーム比に応じた画像が選択される。したがって、より望遠、より高画素にしてもズームのための駆動機構が不要となり、小型化、低価格及び高信頼性を確保することができる。
【０００９】
また、上記の多眼式撮像装置において、ユーザによるズーム比の変更を受け付けるズーム比変更受付部をさらに備え、前記画像選択部は、ズーム比変更受付部によって受け付けられたズーム比に応じた画像を選択することが好ましい。
【００１０】
この構成によれば、ズーム比変更受付部によって、ユーザによるズーム比の変更が受け付けられ、ズーム比変更受付部によって受け付けられたズーム比に応じた画像が選択されるので、複数の撮影レンズによって撮像された複数の画像の中からユーザの所望するズーム比の画像を容易に選択することができる。
【００１１】
また、上記の多眼式撮像装置において、前記複数の撮影レンズは、所定の焦点距離を有する第１撮影レンズと、少なくとも前記第１撮影レンズの焦点距離より長い焦点距離を有する第２撮影レンズとを含み、前記画像選択部は、前記第１撮影レンズによって結像される被写体象の画像のデジタルズーム範囲を超えてズームする場合、前記第２撮影レンズによって結像される被写体象の画像を選択することが好ましい。
【００１２】
この構成によれば、複数の撮影レンズは、所定の焦点距離を有する第１撮影レンズと、少なくとも第１撮影レンズの焦点距離より長い焦点距離を有する第２撮影レンズとを含んでおり、第１撮影レンズによって結像される被写体象の画像のデジタルズーム範囲を超えてズームする場合、ズーム制御部によって、第２撮影レンズによって結像される被写体象の画像が選択される。したがって、第１撮影レンズによって結像される被写体象の画像から第２撮影レンズによって結像される被写体象の画像に切り換えるだけで、簡単にズーミングを行うことができ、ズームのための駆動機構が不要となり、小型化、低価格及び高信頼性を確保することができる。
【００１３】
また、上記の多眼式撮像装置において、前記複数の撮影レンズは、１つの撮像素子上にそれぞれの被写体像を結像させ、前記画像選択部は、前記撮像素子によって光電変換された複数の被写体像の画像の中から１の画像を選択することが好ましい。
【００１４】
この構成によれば、１つの撮像素子上に複数の撮影レンズによる被写体像が結像され、撮像素子によって光電変換された複数の被写体像の画像の中から１の画像が選択されるので、複数の撮影レンズの数に応じて撮像素子を設ける必要がなく、小型化及び低価格化を確保することができる。
【００１５】
本発明に係る移動体通信端末は、カメラを備えた移動体通信端末であって、前記カメラは、請求項１〜４のいずれかに記載の多眼式撮像装置である。
【００１６】
この構成によれば、移動体通信端末のカメラとして上記の多眼式撮像装置を採用することによって、カメラを、より望遠、より高画素にしても焦点を合わせるための駆動機構が不要となり、駆動機構により焦点を合わせる場合に比して消費電力を抑えることができる。
【発明の効果】
【００１７】
請求項１に記載の発明によれば、より望遠、より高画素にしてもズームのための駆動機構が不要となり、小型化、低価格及び高信頼性を確保することができる。
【００１８】
請求項２に記載の発明によれば、ユーザによるズーム比の変更が受け付けられ、受け付けられたズーム比に応じた画像が選択されるので、複数の撮影レンズによって撮像された複数の画像の中からユーザの所望するズーム比の画像を容易に選択することができる。
【００１９】
請求項３に記載の発明によれば、第１撮影レンズによって結像される被写体象の画像から第２撮影レンズによって結像される被写体象の画像に切り換えるだけで、簡単にズーミングを行うことができ、ズームのための駆動機構が不要となり、小型化、低価格及び高信頼性を確保することができる。
【００２０】
請求項４に記載の発明によれば、１つの撮像素子上に複数の撮影レンズによる被写体像が結像され、撮像素子によって光電変換された複数の被写体像の画像の中から１の画像が選択されるので、複数の撮影レンズの数に応じて撮像素子を設ける必要がなく、小型化及び低価格化を確保することができる。
【００２１】
請求項５に記載の発明によれば、移動体通信端末のカメラとして上記の多眼式撮像装置を採用することによって、カメラを、より望遠、より高画素にしても焦点を合わせるための駆動機構が不要となり、駆動機構により焦点を合わせる場合に比して消費電力を抑えることができる。
【発明を実施するための最良の形態】
【００２２】
以下、本発明に係る実施形態を図面に基づいて説明する。
【００２３】
図１は、本発明の多眼式撮像装置が適用される携帯電話機の一例を示す外観図である。図１に示す携帯電話機（移動体通信端末）１は、カメラユニット２、表示部３、操作部４、スピーカ５及びマイクロフォン６を備えて構成される。
【００２４】
カメラユニット２は、焦点距離がそれぞれ異なる複数の撮影レンズと、複数の撮影レンズによって合焦された各被写体像が結像され、結像された複数の被写体像を光電変換する撮像素子等で構成され、被写体を撮像する。なお、カメラユニット２については、図３を用いて後述する。表示部３は、例えばＬＣＤ（液晶ディスプレイ）等で構成され、カメラユニット２によって撮影された画像を表示する。
【００２５】
操作部４は、シャッタボタン４１、テンキー４２及びズームボタン４３を備えて構成される。シャッタボタン４１は、ユーザにより押下されることによって、撮影を受け付ける。テンキー４２は、０〜９までの番号等が対応付けられた複数のボタンで構成され、ユーザにより押下されることによって、相手方の電話番号の入力を受け付ける。ズームボタン４３は、ユーザによるズーミング操作を受け付けるものであり、ズームアップボタン４３ａが押下されることによってズームアップが可能となり、ズームダウンボタン４３ｂが押下されることによってズームダウンが可能となる。スピーカ５は相手方から送信されてきた音声等を外部に出力する。マイクロフォン６は、相手方に送信する音声等を入力する。
【００２６】
図２は、本発明の多眼式撮像装置が適用される携帯電話機の電気的構成を示すブロック図である。携帯電話機１は、カメラユニット２、表示部３、操作部４、画像処理部７、画像メモリ８、ＣＰＵ（中央演算処理装置）９、メモリ１０、無線通信部１１及び音声入出力部１２を備えて構成される。カメラユニット２、表示部３、操作部４、画像処理部７、画像メモリ８、ＣＰＵ９、メモリ１０、無線通信部１１及び音声入出力部１２はデータバス１４によって接続されている。
【００２７】
画像処理部７は、例えば、ＤＳＰ（Digital Signal Processor）等で構成され、カメラユニット２から出力される画像信号に対して所定のデジタル信号処理を施す。なお、このデジタル信号処理については後述する。
【００２８】
画像メモリ８は、撮影した画像をデジタルズームなどの画像処理を行うために一時的に記憶する。メモリ１０は、ＣＰＵ９によって実行されるプログラムを格納したＲＯＭ（Read Only Memory）、ＣＰＵ９の作業領域等として用いられるＲＡＭ（Random Access Memory）及びユーザが入力したアドレス帳等のデータや撮像した画像等を保存する書き換え可能なＥＥＰＲＯＭ（Electrically Erasable Programmable Read-Only Memory）等で構成される。ＣＰＵ９は、メモリ１０のＲＯＭに記憶されているプログラムを実行することによって、全体の動作を制御する。無線通信部１１は、アンテナ１３により基地局を介して相手方との間で通信を行う。
【００２９】
音声入出力部１２は、相手方に送信する音声を入力するためのマイクロフォン６と、相手方から送信されてきた音声等を出力するためのスピーカ１２とが接続され、音声の入出力を行う。
【００３０】
図３は、図２のカメラユニット２の構成を示すブロック図である。カメラユニット２は、撮影光学系２１、撮像素子２２、ＡＧＣ（オートゲインコントロール）部２３、ＡＤＣ（アナログ／デジタル変換）２４を備えて構成される。
【００３１】
撮影光学系２１は、撮像素子２２に被写体光像を結像させる。撮像素子２２は、例えば、ＣＣＤ（Charge Coupled Device）等で構成され、被写体光像を所定の露光時間だけ受光して画像信号（電荷蓄積信号）に変換する。
【００３２】
ＡＧＣ部２３は、撮像素子２２から出力される画像信号のレベル調整を行う。なお、ＡＧＣ部２３は、適正露出が得られなかった場合（例えば非常に低輝度の被写体を撮影する場合等）の撮影画像のレベル不足を補償する機能も有する。
【００３３】
ＡＤＣ２４は、ＡＧＣ部２３によってレベル調整が行われたアナログの画像信号をデジタル信号に変換する。デジタル信号に変換された画像信号は、画像メモリ８に出力され、記憶される。
【００３４】
図４は、本発明の多眼式撮像装置の概念図である。被写体像を結像させる撮影光学系２１は、合焦位置がそれぞれ異なり、焦点距離がそれぞれ異なる複数の撮影レンズで構成される。本実施形態における撮影光学系２１は、所定の焦点距離を有する第１撮影レンズ２１１と、第１撮影レンズ２１１よりも焦点距離が長い第２撮影レンズ２１２と、第２撮影レンズ２１２よりも焦点距離が長い第３撮影レンズ２１３と、第３撮影レンズ２１３と焦点距離が略同じであり、焦点深度内に入る撮影距離範囲が第３撮影レンズ２１３よりも近距離である第４撮影レンズ２１４で構成される。
【００３５】
例えば、第１撮影レンズ２１１は、３５ｍｍカメラで３０ｍｍ程度の焦点距離のレンズに相当する画角で撮影できるレンズである。第２撮影レンズ２１２は、第１撮影レンズ２１１の２倍の３５ｍｍカメラで６０ｍｍ程度の焦点距離のレンズに相当する画角で撮影できるレンズである。第３撮影レンズ２１３は、第２撮影レンズ２１２の２倍の３５ｍｍカメラで１２０ｍｍ程度の焦点距離のレンズに相当する画角で撮影できるレンズである。第４撮影レンズ２１４は、第３撮影レンズ２１３と同じ焦点距離であるが、被写体側にわずかに繰り出した位置に設けられるレンズである。このように、第１撮影レンズ２１１では３５ｍｍカメラで３０ｍｍ相当、第２撮影レンズ２１２では３５ｍｍカメラで６０ｍｍ相当、第３撮影レンズ２１３及び第４撮影レンズ２１４では３５ｍｍカメラで１２０ｍｍ相当の画角で撮影することができる。
【００３６】
また、Ｆナンバー（絞り値）は、第１撮影レンズ２１１及び第２撮影レンズ２１２がＦ２であり、第３撮影レンズ２１３及び第４撮影レンズ２１４がＦ４である。この場合、各撮影レンズで焦点深度内に入る撮影距離範囲は、第１撮影レンズ２１１では無限遠から約１５ｃｍまで、第２撮影レンズ２１２では無限遠から約６０ｃｍまでであり、第１撮影レンズ２１１と第２撮影レンズ２１２とは一般的な距離の被写体であればピント合わせをしなくても撮影することができる。第３撮影レンズ２１３では無限遠から約１ｍまで、第４撮影レンズ２１４では約１ｍから約５０ｃｍまででピントの合った撮影が可能である。したがって、第３撮影レンズ２１３及び第４撮影レンズ２１４の画角で撮影する場合、被写体距離によってより鮮明に撮影することが可能な方が選択される。
【００３７】
撮像素子２２は、複数の領域に分割され、分割された各領域には、画像を生成するための撮影レンズが設けられている。本実施形態における撮像素子２２は、第１領域２２１、第２領域２２２、第３領域２２３及び第４領域２２４の４つの領域に分割されている。また、本実施形態における撮像素子２２の画素数は、例えば１２８０×９６０画素である。
【００３８】
第１撮影レンズ２１１は、第１領域２２１に被写体像を形成する。第２撮影レンズ２１２は、第２領域２２２に被写体像を形成する。第３撮影レンズ２１３は、第３領域２２３に被写体像を形成する。第４撮影レンズ２１４は、第４領域２２４に被写体像を形成する。
【００３９】
図５は、本発明の多眼式撮像装置の外観図であり、図６は、本発明の多眼式撮像装置の内部構成を示す分解図である。図６に示すように、多眼式撮像装置は、本体３０の内部に、被写体側から順に視野絞り３１、第１レンズ部３２、第１遮光板３３、第２レンズ部３４、第２遮光板３５及び撮像素子２２が設けられている。
【００４０】
視野絞り３１は、入射する余分な光を除去する絞りであり、不透明な板に４つの穴が形成されている。なお、この穴には、撮像素子２２にＣＣＤが用いられる場合にＣＣＤが赤外光に感度を持つため、ＩＲカットフィルタが貼り付けられており、ＩＲカットフィルタによって不要な赤外光が除去される。
【００４１】
第１レンズ部３２及び第２レンズ部３４は、それぞれ透明な樹脂製で４つのレンズが一体成型で作成され、撮像素子２２の所定の位置に結像されるように、第１レンズ部３２及び第２レンズ部３４の曲率と光軸方向の位置とが決められている。
【００４２】
第１遮光板３３及び第２遮光板３５は、それぞれ光を透過させない不透明な材料で成型され、隣り合うレンズ間の仕切りであり、隣接するレンズから洩れる不要な光を除去するものである。
【００４３】
図７は、多眼式撮像装置のズーミング及びフォーカシングに係る構成を示すブロック図である。図７に示す多眼式撮像装置は、撮像部１５、画像メモリ８、ＣＰＵ９及び画像処理部７を備えて構成される。
【００４４】
撮像部１５は、上述のカメラユニット２の撮像素子２２、ＡＧＣ２３及びＡＤＣ２４により構成される。
【００４５】
画像処理部７は、撮像部１５のＡＤＣ２４によってデジタル信号に変換された画像信号に所定のデジタル信号処理を施すもので、このデジタル信号処理は当該画像信号を構成する各画素信号ごとに行われる。画像処理部７は、所定のデジタル信号処理として黒レベル補正、ホワイトバランス調整及びγ補正等を行う。黒レベル補正は、ＡＤ変換された各画素データの黒レベルを基準の黒レベルに補正するものである。ホワイトバランス調整は、撮影画像のホワイトバランスを調整するものである。γ補正は、各画素データのγ特性を補正することにより階調補正を行うものである。
【００４６】
画像メモリ８は、撮像部１５によって撮像され、画像処理部７によって画像処理が施された画像を記憶する。
【００４７】
ＣＰＵ９は、画像抽出部６１、ＡＦ（オートフォーカス）部６２及びデジタルズーム部６３を備えて構成される。
【００４８】
画像抽出部６１は、画像メモリ８に記憶されている画像を読み出し、複数に分割されている画像から１の画像を切り出す。画像抽出部６１は、ズーム比に応じて予め設定されている値（ここでは、Ｎ値とする）に応じて、複数に分割されている画像から１の画像を切り出す。
【００４９】
デジタルズーム部６３は、デジタルズーム比を決定し、画像抽出部６１によって切り出された画像を拡大する。デジタルズーム部６３は、予め設定されている値（ここでは、Ｍ値とする）に応じて、デジタルズーム比を決定する。ここで、画像の拡大率（ズーム比）をＫMとしている。ただし、Ｋ＝4√２である。したがって、Ｍ＝４で拡大率は２となり、画像は２倍に拡大される。なお、デジタルズームとは、ズーム比に応じて画像の中央部分の領域をトリミングし、トリミングした領域を拡大することによってズーム効果を得ることである。
【００５０】
なお、画像抽出部６１において複数に分割されている画像から１の画像を切り出すＮ値と、デジタルズーム部６３においてデジタルズーム比を決定するＭ値とは、メモリ１０に記憶されている。画像抽出部６１は、メモリ１０からＮ値を読み出して複数に分割されている画像から１の画像を切り出す。デジタルズーム部６３は、メモリ１０からＭ値を読み出してデジタルズーム比を決定し、画像抽出部６１によって切り出された画像に対してデジタルズームを施す。
【００５１】
ＡＦ部６２は、焦点距離が同じで合焦位置が異なる複数の画像のうち、各画像内における所定の領域内の鮮鋭度を算出し、算出された鮮鋭度が最も高い画像を各画像の中から選択する。なお、鮮鋭度は、画像の明暗の差を表すコントラスト値を求めることで算出することができる。つまり、焦点が合っていない場合、画像のコントラスト値は低くなり、焦点が合っている場合、コントラスト値は高くなるので、ＡＦ部６２は、各画像内における所定の領域内のコントラスト値を算出し、算出されたコントラスト値を比較し、最も高いコントラスト値を示す画像を各画像の中から選択する。
【００５２】
下記の表１は、本実施形態におけるＮ値及びＭ値の組み合わせとズーム比とを示している。表１では、右に行くほどズームアップし、左に行くほどズームダウンする。ここで、Ｎ値＝１の場合、図４に示す第１領域２２１の画像が選択され、Ｎ値＝２の場合、図４に示す第２領域２２２の画像が選択され、Ｎ値＝３の場合、図４に示す第３領域２２３の画像が選択され、Ｎ値＝４の場合、図４に示す第４領域２２４の画像が選択される。表１に示すように、ズーム比が「１×」のとき、Ｎ値は１であり、Ｍ値は０であり、ズーム比が「Ｋ×」のとき、Ｎ値は１であり、Ｍ値は１であり、ズーム比が「Ｋ3×」のとき、Ｎ値は１であり、Ｍ値は３である。すなわち、ズーム比が１倍からＫ3倍までは、第１領域２２１の画像が切り出される。
【表１】
2005109623.tif 000003
【００５３】
そして、ズーム比を「２×」、つまり２倍にする場合、Ｎ値を２とし、Ｍ値を０とすることで、第１領域２２１の画像の２倍の焦点距離で撮像された第２領域２２２の画像に切り換える。ズーム比が２倍から２Ｋ3倍までは、第２領域２２２の画像が切り出されることとなる。
【００５４】
同様に、ズーム比を「４×」、つまり４倍にする場合、Ｎ値を３又は４とし、Ｍ値を０とすることで、第１領域２２１の画像の４倍の焦点距離で撮像された第３領域２２３の画像又は第４領域２２４の画像に切り換える。ズーム比が４倍から８倍までは、第３領域２２３の画像又は第４領域２２４の画像が切り出されることとなる。
【００５５】
ユーザは、ズームアップ操作のために割り当てられたズームアップボタン４３ａ及びズームダウン操作のために割り当てられたズームダウンボタン４３ｂを操作することによって、Ｎ値とＭ値とを切り換えてズームを行う。すなわち、ズームアップ操作では、表１の右方向へのＮ値とＭ値との組み合わせが選択され、ズームダウン操作では、表１の左方向へのＮ値とＭ値との組み合わせが選択されることで、Ｋ倍（１／Ｋ倍）ごとにズームができる。
【００５６】
また、表１に示すズーム比が「４×」以上の領域では、無限遠よりの被写体に焦点が合っている第３領域２２３の画像と、近接よりに焦点が合っている第４領域２２４の画像とのうちのいずれか一方を選択することによって、焦点を合わせる。ＡＦ部６２は、４倍以上のズーム比でズームを行う場合、第３領域２２３の画像のコントラストと第４領域２２４の画像のコントラストとを比較し、コントラストの高いほうの画像を選択し、選択された画像に対応する番号をＮ値に代入する。例えば、ＡＦ部６２は、第３領域２２３の画像のコントラストと第４領域２２４の画像のコントラストとを比較して、第３領域２２３の画像のコントラストが第４領域２２４の画像のコントラストよりも高い場合、第３領域２２３の画像を選択し、選択された画像に対応する番号である「３」をＮ値に代入する。
【００５７】
図８は、撮像素子で撮像した元画像におけるコントラストを比較するコントラスト比較領域を示す図である。撮像素子２２によって撮像された元画像ＧＭは、複数の画像に分割され、撮像素子２２の第１領域２２１に対応する第１分割画像Ｇ１と、撮像素子２２の第２領域２２２に対応する第２分割画像Ｇ２と、撮像素子２２の第３領域２２３に対応する第３分割画像Ｇ３と、撮像素子２２の第４領域２２４に対応する第４分割画像Ｇ４とに分割される。そして、第３分割画像Ｇ３及び第４分割画像Ｇ４のそれぞれの中央の長方形部分がコントラスト比較領域Ｃ３及びコントラスト比較領域Ｃ４である。ＡＦ部６２は、第３分割画像Ｇ３におけるコントラスト比較領域Ｃ３のコントラスト値を計算するとともに、第４分割画像Ｇ４におけるコントラスト比較領域Ｃ４のコントラスト値を計算し、それぞれの領域におけるコントラスト値を比較する。ここで、コントラスト値の計算は、下記の（１）式に基づいて行われる。
【数１】
2005109623.tif 000004
【００５８】
なお、上記（１）式において、Ｃはコントラスト値を表し、ａはコントラスト比較領域における垂直方向の画素数を表し、ｂはコントラスト比較領域における水平方向の画素数を表し、Ｐjkはコントラスト比較領域における垂直方向ｊ番目水平方向ｋ番目の画素値を表している。
【００５９】
このように、焦点距離がそれぞれ異なる複数の撮影レンズ２１１，２１２，２１３，２１４によって合焦された各被写体像が結像され、撮像素子２２によって、結像された複数の被写体像が光電変換され、画像抽出部６１によって、撮像素子によって光電変換された複数の被写体像の画像の中からズーム比に応じた画像が選択される。したがって、より望遠、より高画素にしてもズームのための駆動機構が不要となり、小型化、低価格及び高信頼性を確保することができる。
【００６０】
また、ズームボタン４３によって、ユーザによるズーム比の変更が受け付けられ、ズームボタン４３によって受け付けられたズーム比に応じた画像が選択されるので、複数の撮影レンズによって撮像された複数の画像の中からユーザの所望するズーム比の画像を容易に選択することができる。
【００６１】
また、複数の撮影光学系２１は、所定の焦点距離を有する第１撮影レンズ２１１と、少なくとも第１撮影レンズ２１１の焦点距離より長い焦点距離を有する第２撮影レンズ２１２とを含んでおり、第１撮影レンズ２１１によって結像される被写体象の画像のデジタルズーム範囲を超えてズームする場合、画像抽出部６１によって、第２撮影レンズ２１２によって結像される被写体象の画像が選択される。したがって、第１撮影レンズ２１１によって結像される被写体象の画像から第２撮影レンズ２１２によって結像される被写体象の画像に切り換えるだけで、簡単にズーミングを行うことができ、ズームのための駆動機構が不要となり、小型化、低価格及び高信頼性を確保することができる。
【００６２】
また、１つの撮像素子２２上に複数の撮影レンズによる被写体像が結像され、撮像素子２２によって光電変換された複数の被写体像の画像の中から１の画像が選択されるので、複数の撮影レンズの数に応じて撮像素子を設ける必要がなく、小型化及び低価格化を確保することができる。
【００６３】
さらに、焦点距離が異なるとともに、焦点深度内に入る撮影距離範囲が異なる第１撮影レンズ２１１、第２撮影レンズ２１２、第３撮影レンズ２１３及び第４撮影レンズ２１４を用いることによって、より望遠、より高画素を確保した上で焦点を合わせるための駆動機構が不要となり、小型化、低価格及び高信頼性を確保することができる。
【００６４】
さらにまた、移動体通信端末である携帯電話機１のカメラとして上記の多眼式撮像装置を採用することによって、カメラを、より望遠、より高画素にしても焦点を合わせるための駆動機構が不要となり、駆動機構により焦点を合わせる場合に比して消費電力を抑えることができる。
【００６５】
なお、本実施形態では、複数の撮影レンズによって得られる複数の像を１つの撮像素子で撮像しているが、本発明は特にこれに限定されず、撮影レンズの数に応じた撮像素子を設け、複数の撮影レンズによって得られる複数の像を各撮像素子で撮像してもよい。
【００６６】
また、本実施形態では、移動体通信端末である携帯電話機に内蔵される多眼式撮像装置として説明しているが、本発明は特にこれに限定されず、他の機器、例えば、ＰＤＡ（携帯情報端末）、ノート型パーソナルコンピュータ、デスクトップ型パーソナルコンピュータ及びＰＣカメラ等に内蔵してもよい。
【図面の簡単な説明】
【００６７】
【図１】本発明の多眼式撮像装置が適用される携帯電話機の一例を示す外観図である。
【図２】本発明の多眼式撮像装置が適用される携帯電話機の電気的構成を示すブロック図である。
【図３】図２のカメラユニットの構成を示すブロック図である。
【図４】本発明の多眼式撮像装置の概念図である。
【図５】本発明の多眼式撮像装置の外観図である。
【図６】本発明の多眼式撮像装置の内部構成を示す分解図である。
【図７】多眼式撮像装置のズーミング及びフォーカシングに係る構成を示すブロック図である。
【図８】撮像素子で撮像した元画像におけるコントラストを比較するコントラスト比較領域を示す図である。
【符号の説明】
【００６８】
１    携帯電話機
２    カメラユニット
３    表示部
４    操作部
５    スピーカ
６    マイクロフォン
７    画像処理部
８    画像メモリ
９    ＣＰＵ
１０    メモリ
１１    無線通信部
１２    音声入力部
１３    アンテナ
１４    データバス
１５    撮像部
２２    撮像素子
６１    画像抽出部
６２    ＡＦ部
６３    デジタルズーム部
２１１    第１撮影レンズ
２１２    第２撮影レンズ
２１３    第３撮影レンズ
２１４    第４撮影レンズ
【図１】
2005109623.tif 000005
【図２】
2005109623.tif 000006
【図３】
2005109623.tif 000007
【図４】
2005109623.tif 000008
【図５】
2005109623.tif 000009
【図６】
2005109623.tif 000010
【図７】
2005109623.tif 000011
【図８】
2005109623.tif 000012